(57)【要約】      （修正有）【課題】情報処理装置と通信可能な情報記憶端末に蓄積されたデータを、ユーザが情報処理装置を利用する際に容易に取得可能とする。【解決手段】データを蓄積可能な情報記憶端末と通信可能な情報処理装置であって、この情報処理装置はログインするための認証情報を受け付ける認証情報受付手段を備える。認証情報受付手段で認証を受け付け、ログイン状態となった情報処理装置と通信可能な情報記憶端末を検知すると、検知した情報記憶端末と通信を行う。通信することにより情報記憶端末が蓄積されているデータを取得する。【選択図】図７
2018106629.tif 000002
【特許請求の範囲】
【請求項１】
データを蓄積可能な情報記憶端末と通信可能な情報処理装置であって、
前記情報処理装置にログインするための認証情報を受け付ける認証情報受付手段と、
前記認証情報受付手段で認証を受け付け、ログイン状態となった前記情報処理装置と通信可能な前記情報記憶端末を検知する検知手段と、
前記検知手段で検知した前記情報記憶端末と通信する通信手段と、
前記通信手段で通信することにより前記情報記憶端末が蓄積されているデータを取得する取得手段と
を備えることを特徴とする情報処理装置。
【請求項２】
前記情報処理装置は、
前記認証情報受付手段で受け付けた前記認証情報に含まれるユーザ情報を特定する特定手段と、
をさらに備え、
前記検知手段は、前記特定手段で特定したユーザ情報に対応づく前記情報記憶端末を検知することを特徴とする請求項１に記載の情報処理装置。
【請求項３】
前記情報処理装置は、前記取得手段で取得したデータを記憶する記憶手段、
をさらに備え、
前記記憶手段は、前記取得手段で取得したデータを前記特定手段で特定した前記ユーザ情報と対応付けて記憶することを特徴とする請求項２に記載の情報処理装置。
【請求項４】
前記記憶手段は、前記情報記憶端末から取得済みのデータの履歴情報をさらに記憶し、
前記取得手段は、前記履歴情報に基づいて前記情報記憶端末から未取得のデータを取得することを特徴とする請求項３に記載の情報処理装置。
【請求項５】
前記情報処理装置は、サーバ装置と通信可能であり、
前記取得手段で取得したデータを前記サーバ装置に送信する指示を受け付ける送信指示受付手段と、
前記送信指示受付手段で送信指示を受け付け、前記データを前記サーバ装置に送信する送信手段と、
をさらに備え、
前記送信手段は、前記記憶手段で記憶されたデータのうち、前記送信指示受付手段で前記データを送信する指示を受け付けた、ユーザに対応する前記データを前記サーバ装置に送信することを特徴とする請求項３または４に記載の情報処理装置。
【請求項６】
前記情報処理装置は、前記送信指示受付手段で送信指示を受け付けるまで前記記憶手段に記憶されているデータを送信しないことを特徴とする請求項５に記載の情報処理装置。
【請求項７】
前記情報処理装置は、
前記認証情報受付手段で前記情報記憶端末からの認証情報をさらに受け付け、
前記送信手段は、前記認証情報受付手段で前記情報記憶端末からの認証情報を受け付けた場合には、前記送信指示受付手段で送信指示を受け付けずに前記データを送信することを特徴とする請求項５または６に記載の情報処理装置。
【請求項８】
データを蓄積可能な情報記憶端末と通信可能な情報処理装置の制御方法であって、
前記情報処理装置にログインするための認証情報を受け付ける認証情報受付ステップと、
前記認証情報受付ステップで認証を受け付け、ログイン状態となった前記情報処理装置と通信可能な前記情報記憶端末を検知する検知ステップと、
前記検知ステップで検知した前記情報記憶端末と通信する通信ステップと、
前記通信ステップで通信することにより前記情報記憶端末が蓄積されているデータを取得する取得ステップと
を備えることを特徴とする制御方法。
【請求項９】
データを蓄積可能な情報記憶端末と通信可能な情報処理装置として機能させるプログラムであって、
前記情報処理装置を、
前記情報処理装置にログインするための認証情報を受け付ける認証情報受付手段と、
前記認証情報受付手段で認証を受け付け、ログイン状態となった前記情報処理装置と通信可能な前記情報記憶端末を検知する検知手段と、
前記検知手段で検知した前記情報記憶端末と通信する通信手段と、
前記通信手段で通信することにより前記情報記憶端末が蓄積されているデータを取得する取得手段
として機能させることを特徴とするプログラム。
【請求項１０】
データを蓄積可能な情報記憶端末と、前記情報記憶端末と通信可能な情報処理装置とを備える情報処理システムであって、
前記情報処理装置にログインするための認証情報を受け付ける認証情報受付手段と、
前記認証情報受付手段で認証を受け付け、ログイン状態となった前記情報処理装置と通信可能な前記情報記憶端末を検知する検知手段と、
前記検知手段で検知した前記情報記憶端末と通信する通信手段と、
前記通信手段で通信することにより前記情報記憶端末が蓄積されているデータを取得する取得手段と
を備えることを特徴とする情報処理システム。
【請求項１１】
データを蓄積可能な情報記憶端末と、前記情報記憶端末と通信可能な情報処理装置とを備える情報処理システムの制御方法であって、
前記情報処理装置にログインするための認証情報を受け付ける認証情報受付ステップと、
前記認証情報受付ステップで認証を受け付け、ログイン状態となった前記情報処理装置と通信可能な前記情報記憶端末を検知する検知ステップと、
前記検知ステップで検知した前記情報記憶端末と通信する通信ステップと、
前記通信ステップで通信することにより前記情報記憶端末が蓄積されているデータを取得する取得ステップと
を備えることを特徴とする制御方法。
【請求項１２】
データを蓄積可能な情報記憶端末と、前記情報記憶端末と通信可能な情報処理装置とを備える情報処理システムとして機能させるプログラムであって、
前記情報処理システムを、
前記情報処理装置にログインするための認証情報を受け付ける認証情報受付手段と、
前記認証情報受付手段で認証を受け付け、ログイン状態となった前記情報処理装置と通信可能な前記情報記憶端末を検知する検知手段と、
前記検知手段で検知した前記情報記憶端末と通信する通信手段と、
前記通信手段で通信することにより前記情報記憶端末が蓄積されているデータを取得する取得手段
として機能させることを特徴とするプログラム。
【発明の詳細な説明】
【技術分野】
【０００１】
本発明は、情報処理装置と通信可能な情報記憶端末に蓄積されたデータを、ユーザが情報処理装置を利用する際に容易に取得可能な仕組みを提供する。
【背景技術】
【０００２】
健康への意識が高まる昨今では、携帯型の情報記憶端末を用いてユーザの健康状態を管理する仕組みが存在する。例えば、ユーザが身に着けることによってユーザの健康に関するデータ（歩数、消費カロリー等）を記憶する情報記憶端末（以下、健康管理端末）が存在している。この健康管理端末に記憶されているデータを帳票等にまとめて閲覧できるようにすることで、ユーザの健康管理を支援することが可能となる。
【０００３】
健康管理端末はユーザが持ち運んで日常の活動のデータ（健康データ、バイタルデータ）を蓄積できる。健康管理端末で蓄積したデータをまとめた詳細情報を出力するような場合には、一度情報処理装置等にデータを送信してデータベースに蓄積することが望ましい。そうすることでより詳細を閲覧可能にしたり、過去のデータに基づいて解析した結果を出力したりすることが可能となる。
【０００４】
特許文献１には、認証機器により画像形成装置（プリンタ）への認証処理を行い認証成功と判定された後に、画像形成装置の周辺に設置されている無線通信機能付きの計測器の利用を許可してバイタルデータ（健康データ）を測定する。そして測定した結果を画像形成装置に取り込んで、画像形成装置内のデータベースに蓄積し、社員の健康管理を支援する健康管理システムが記載されている。
【先行技術文献】
【特許文献】
【０００５】
【特許文献１】特開２０１３−２１８５６１号公報
【発明の概要】
【発明が解決しようとする課題】
【０００６】
上述したように、健康管理端末で蓄積したデータをまとめた詳細情報を出力するような場合には、一度情報処理装置等にデータを送信してデータベースに蓄積することが望ましい。そうすることでより詳細を閲覧可能にしたり、過去のデータに基づいて解析した結果を出力したりすることが可能となる。
【０００７】
しかしながら、特許文献１の技術では、認証が成功した後に測定を開始した測定結果を取得するようになっており、ユーザが画像形成装置にログインしない間に蓄積したバイタルデータを取得する仕組みは開示されていない。持ち運びができる健康管理端末の利点は、ユーザが身に着けるだけでバイタルデータを随時蓄積していくことができる点であり、そうして普段の生活の中で蓄積したバイタルデータを画像形成装置に送信したい場合の仕組みは、特許文献１の技術では対応できない。
【０００８】
そこで、本発明の目的は、情報処理装置と通信可能な情報記憶端末に蓄積されたデータを、ユーザが情報処理装置を利用する際に容易に取得可能な仕組みを提供する。
【課題を解決するための手段】
【０００９】
本発明は、データを蓄積可能な情報記憶端末と通信可能な情報処理装置であって、前記情報処理装置にログインするための認証情報を受け付ける認証情報受付手段と、前記認証情報受付手段で認証を受け付け、ログイン状態となった前記情報処理装置と通信可能な前記情報記憶端末を検知する検知手段と、前記検知手段で検知した前記情報記憶端末と通信する通信手段と、前記通信手段で通信することにより前記情報記憶端末が蓄積されているデータを取得する取得手段を備えることを特徴とする。
【発明の効果】
【００１０】
本発明によれば、情報処理装置と通信可能な情報記憶端末に蓄積されたデータを、ユーザが情報処理装置を利用する際に容易に取得可能な効果を奏する。
【図面の簡単な説明】
【００１１】
【図１】本実施形態の画像形成装置を適用可能なシステムの構成図を示す。
【図２】認証サーバ、外部サーバのハードウェア構成図を示す。
【図３】画像形成装置のハードウェア構成図を示す。
【図４】健康管理端末のハードウェア構成図を示す。
【図５】本実施形態のシステムの機能構成の一例を示す。
【図６】本実施形態の一連の流れを示すフローチャートである。
【図７】本実施形態の一連の流れを示すフローチャートであり、図６の続きを示す。
【図８】認証テーブル８００、ユーザ情報テーブル８１０、活動量計テーブル８２０の一例を示す。
【図９】（ａ）メニュー画面９００、（ｂ）メニュー画面９００の一例を示す。
【図１０】（ａ）データ送信画面１０００、（ｂ）データ送信画面１０００の一例を示す。
【発明を実施するための形態】
【００１２】
以下、図面を参照して、発明を実施するための形態について詳細に説明する。
【００１３】
図１は、本発明の一実施形態を示す画像形成装置を適用可能な情報処理システムの構成を例示する図である。
【００１４】
図１に示すように、本実施形態のシステムは、カードリーダ３１０を備える画像形成装置３００（または情報処理装置）、認証サーバ１００、外部サーバ２００、健康管理端末４００を含む。なお、認証サーバ１００は、画像形成装置３００内のサービスとして実行する構成であってもよい。
【００１５】
本実施形態のシステムでは、画像形成装置３００、認証サーバ１００、外部サーバ２００がローカルエリアネットワーク（ＬＡＮ）６００を介して接続される構成となっている。なお、本実施形態のシステムを構成する各機器が、ローカルネットワークに限らずインターネットを介して通信可能な構成であってもよい。
【００１６】
画像形成装置３００は、カードリーダ３１０（読取部）にかざされたＩＣカードや健康管理端末４００等の情報記憶端末の識別情報（カードＩＤ、ログイン情報、認証情報）を受け付ける（認証情報受付手段）。認証情報を受け付けて認証されたことを受けてログインを許可する。ログイン状態の間であれば、不図示のプリントサーバやマスストレージから、認証（ログイン）されたユーザに対応する印刷データを受信し、紙に出力したり、ファクスを送信したり（各種処理）することが可能な装置である。即ち、画像形成装置３００は、ユーザが所持するＩＣカード等から取得されるカードＩＤを用いてログイン可能である。なお、画像形成装置３００は、カードリーダ３１０のほか、画像形成装置３００上のタッチパネルで、ソフトキーボードを用いて、ユーザＩＤとパスワードを入力し、認証を実行してログイン可能な構成となっている。本実施形態では画像形成装置３００を例に説明を行うが、画像形成装置３００以外の情報処理装置であってもよい。
【００１７】
認証サーバ１００は、ＩＣカード認証やキーボード認証によるユーザ認証を実行するための認証テーブル（例えば後述する図１０）を記憶している。
【００１８】
健康管理端末４００は、利用者の活動量等のデータ（健康管理情報）を測定する携帯型の活動量計である。利用者が健康管理端末４００を携帯した状態で歩行や走行等を行うことで、健康管理端末４００により活動量データ（例えば後述する図８の活動量計データテーブル８２０）が計測され、それらのデータを蓄積可能である。
【００１９】
外部サーバ２００は、ユーザ毎に健康管理端末４００で計測された活動量データを蓄積し管理するサーバである。例えば、外部サーバ２００は、健康管理端末４００から計測・蓄積された活動量データを基にユーザの健康状態に関してレポートを作成する機能などを有する。
【００２０】
健康管理端末４００によって画像形成装置３００にログインした場合にのみ、健康管理端末４００から取得された活動量データや、外部サーバ２００で作成されるレポートが、閲覧や印刷が可能となっている。これは活動量データやレポートはユーザの体重などのセンシティブな情報が記載されている場合があり、場合によってはマイナンバー等の機密情報が含まれていることもあるためである。
【００２１】
図２は、認証サーバ１００、外部サーバ２００のハードウェア構成を例示する図である。
【００２２】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）が記憶されている。また各サーバ或いは各ＰＣの実行する機能を実現するために必要な各種プログラム等が記憶されている。なお、認証サーバ１００の外部メモリ２１１には、認証テーブルも記憶されている。認証テーブルの一例を図１０に示す。
【００２３】
図８は、本実施形態の認証テーブルを例示する図である。
【００２４】
図８に示すように、本実施形態の認証テーブルは、ユーザ名、カードＩＤ等の情報から構成されており、１のユーザ名に複数のカードＩＤ（本実施形態ではＩＣカード用のカードＩＤと健康管理端末用のカードＩＤ）が紐付けられて保存されている。
【００２５】
例えば、ユーザ名「ｕｓｅｒＡ」にはＩＣカード用のカードＩＤ「０１１１１１１１１１ＡＢＣＤＥＦ」と、健康管理端末用のカードＩＤ「２２２２２２２２２ＡＢＣＤＥＦ」が対応付けられている。また、ユーザ名「ｕｓｅｒＢ」にはＩＣカード用のカードＩＤ「０１１１１１１１１１ＺＹＸＷＶＵ」と、健康管理端末用のカードＩＤ「２２２２２２２２２ＺＹＸＷＶＵ」が対応付けられている。
【００２６】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２７】
２０５は入力コントローラで、入力デバイス２０９や不図示のマウス等のポインティングデバイス等からの入力を制御する。２０６はビデオコントローラで、ディスプレイ２１０等の表示器への表示を制御する。なお、表示器は、液晶ディスプレイ、ＣＲＴ、その他の表示器であってもよい。
【００２８】
２０７はメモリコントローラで、ブートプログラム，各種のアプリケーション，フォントデータ，ユーザファイル，編集ファイル，各種データ等を記憶する外部メモリ２１１へのアクセスを制御する。外部メモリ２１１は、例えば、ハードディスク（ＨＤ）や、ソリッドステートドライブ（ＳＳＤ）、フレキシブルディスク（ＦＤ）、或いはＰＣＭＣＩＡカードスロットを介して接続されるコンパクトフラッシュ（登録商標）メモリ等である。
【００２９】
２０８は通信Ｉ／Ｆコントローラで、ネットワーク（例えば、図１に示したＬＡＮ６００）を介して外部機器と接続・通信するものであり、ネットワークでの通信制御処理を実行する。通信Ｉ／Ｆコントローラ２０８は、例えば、ＴＣＰ／ＩＰを用いた通信等が可能である。また、本実施形態ではＢｌｕｅｔｏｏｔｈ（登録商標）等の近距離無線通信を用いるため、当該近距離無線通信についても通信を制御する。
【００３０】
なお、ＣＰＵ２０１は、例えばＲＡＭ２０２内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。ハードウェア上で動作する各種プログラム（例えば、ブラウザ）は、外部メモリ２１１に記録されており、必要に応じてＲＡＭ２０２にロードされることによりＣＰＵ２０１によって実行されるものである。
【００３１】
図３は、画像形成装置３００のハードウェア構成を例示する図である。
【００３２】
図３において、コントローラユニット３０００は、画像入力デバイスとして機能するスキャナ３０１５や、画像出力デバイスとして機能するプリンタ３０１４と接続される。それらとともに、図１に示したＬＡＮ６００のようなローカルエリアネットワークや、例えばＰＳＴＮまたはＩＳＤＮ等の公衆回線（ＷＡＮ）と接続することで、画像データやデバイス情報の入出力を制御する。
【００３３】
図３に示すように、コントローラユニット３０００は、ＣＰＵ３００１、ＲＡＭ３００６、ＲＯＭ３００２、外部記憶装置（ハードディスクドライブ（ＨＤＤ））３００７、ネットワークインタフェース（Ｎｅｔｗｏｒｋ Ｉ／Ｆ）３００３を有する。また、モデム（ＭＯＤＥＭ）３００４、操作部インタフェース（操作部Ｉ／Ｆ）３００５、外部インタフェース（外部Ｉ／Ｆ）３００９、イメージバスインタフェース（ＩＭＡＧＥ ＢＵＳ Ｉ／Ｆ）３００８を有する。そしてラスタイメージプロセッサ（ＲＩＰ）３０１０、プリンタインタフェース（プリンタＩ／Ｆ）３０１１、スキャナインタフェース（スキャナＩ／Ｆ）３０１２、画像処理部３０１３等を有する。
【００３４】
ＣＰＵ３００１は、システム全体を制御するプロセッサである。ＲＡＭ３００６は、ＣＰＵ３００１が動作するためのシステムワークメモリであり、プログラムを記録するためのプログラムメモリや、画像データを一時記憶するための画像メモリである。ＲＯＭ３００２は、システムのブートプログラムや各種制御プログラムが格納されている。
【００３５】
外部記憶装置（ハードディスクドライブ（ＨＤＤ））３００７は、システムを制御するための各種プログラム、画像データ等を格納する。また、ＨＤＤ３００７は、各種テーブルを記憶している。
【００３６】
操作部インタフェース（操作部Ｉ／Ｆ）３００５は、操作部（ＵＩ）３０１８とのインタフェース部であり、操作部３０１８に表示する画像データを操作部３０１８に対して出力する。また、操作部Ｉ／Ｆ３００５は、操作部３０１８から本システム使用者が入力した情報（例えば、ユーザ情報等）をＣＰＵ３００１に伝える役割をする。なお、操作部３０１８は、タッチパネルを有する表示部を備え、該表示部に表示されたボタンを、ユーザが押下（指等でタッチ）することにより、各種指示を行うことができる。
【００３７】
ネットワークインタフェース（Ｎｅｔｗｏｒｋ Ｉ／Ｆ）３００３は、ネットワーク（ＬＡＮ）に接続し、データの入出力を行なう。モデム（ＭＯＤＥＭ）３００４は、公衆回線に接続し、ＦＡＸの送受信等のデータの入出力を行う。外部インタフェース（外部Ｉ／Ｆ）３００９は、ＵＳＢ、ＩＥＥＥ１３９４、プリンタポート、ＲＳ−２３２Ｃ等の外部入力を受け付けるインタフェース部である。本実施形態では、外部Ｉ／Ｆ３００９に、認証で必要となるＩＣカード読み取り用のカードリーダ３１０が接続され、さらにＢｌｕｅｔｏｏｔｈ等の近距離無線通信が可能となるアダプターを備える。尚、Ｂｌｕｅｔｏｏｔｈ等の近距離無線通信が可能となる機能部は外付で付与してもよいし、画像形成装置３００に内蔵されていてもよい。
【００３８】
ＣＰＵ３００１は、外部Ｉ／Ｆ３００９を介してカードリーダ３１０によるＩＣカードからの情報読み取りを制御し、該ＩＣカードから読み取られた情報を取得可能である。なお、ＩＣカードに限らず、ユーザを特定することが可能な記憶媒体であれば、例えば磁気カードのような他の記憶媒体でもよい。この場合、記憶媒体には、ユーザを識別するための識別情報が記憶される。この識別情報は、記憶媒体の製造番号でも、ユーザが企業内で与えられるユーザコードであってもよい。以上のデバイスがシステムバス上に配置される。
【００３９】
一方、イメージバスインタフェース（ＩＭＡＧＥ ＢＵＳ Ｉ／Ｆ）３００８は、システムバス３０１６と画像データを高速で転送する画像バス３０１７とを接続し、データ構造を変換するバスブリッジである。画像バス３０１７は、ＰＣＩバスまたはＩＥＥＥ１３９４で構成される。画像バス３０１７上には以下のデバイスが配置される。
【００４０】
ラスタイメージプロセッサ（ＲＩＰ）３０１０は、例えば、ＰＤＬコード等のベクトルデータをビットマップイメージに展開する。プリンタインタフェース（プリンタＩ／Ｆ）３０１１は、プリンタ３０１４とコントローラユニット３０００を接続し、画像データの同期系／非同期系の変換を行う。スキャナインタフェース（スキャナＩ／Ｆ）３０１２は、スキャナ３０１５とコントローラユニット３０００を接続し、画像データの同期系／非同期系の変換を行う。
【００４１】
画像処理部３０１３は、入力画像データに対し、補正、加工、編集を行い、プリント出力画像データに対して、プリンタの補正、解像度変換等を行う。また、これに加えて、画像処理部３０１３は、画像データの回転や、多値画像データに対してはＪＰＥＧ、２値画像データはＪＢＩＧ、ＭＭＲ、ＭＨ等の圧縮伸張処理を行う。
【００４２】
スキャナＩ／Ｆ３０１２に接続されるスキャナ３０１５は、原稿となる紙上の画像を照明し、ＣＣＤラインセンサで走査することで、ラスタイメージデータとして電気信号に変換する。原稿用紙を原稿フィーダ（不図示）のトレイにセットし、装置使用者が操作部３０１８から読み取り起動指示することにより、ＣＰＵ３００１がスキャナ３０１５に指示を与え、フィーダが原稿用紙を１枚ずつフィードし、原稿画像の読み取り動作を行う。
【００４３】
プリンタＩ／Ｆ３０１１に接続されるプリンタ３０１４は、ラスタイメージデータを用紙上の画像に変換する部分である。その方式は感光体ドラムや感光体ベルトを用いた電子写真方式、微小ノズルアレイからインクを吐出して用紙上に直接画像を印字するインクジェット方式等があるが、どの方式でも構わない。プリント動作の起動は、ＣＰＵ３００１からの指示によって開始する。なお、プリンタ３０１４には、異なる用紙サイズまたは異なる用紙向きを選択できるように複数の給紙段を持ち、それに対応した用紙カセットがある。
【００４４】
操作部Ｉ／Ｆ３００５に接続される操作部３０１８は、液晶ディスプレイ（ＬＣＤ）表示部を有する。ＬＣＤ上にはタッチパネルシートが貼られており、システムの操作画面を表示するとともに、表示してあるキーが押されると、その位置情報を操作部Ｉ／Ｆ３００５を介してＣＰＵ３００１に伝える。また、操作部３０１８は、各種操作キー（ハードキー）として、例えば、スタートキー、ストップキー、ＩＤキー、リセットキー等を備える。
【００４５】
ここで、操作部３０１８のスタートキーは、原稿画像の読み取り動作を開始する時などに用いる。スタートキーの中央部には、緑と赤の２色のＬＥＤがあり、その色によってスタートキーが使える状態であるか否かを示す。また、操作部３０１８のストップキーは、稼動中の動作を止める働きをする。また、操作部３０１８のＩＤキーは、使用者のユーザＩＤを入力する時に用いる。リセットキーは、操作部３０１８からの設定を初期化する時に用いる。
【００４６】
外部Ｉ／Ｆ３００９に接続されるカードリーダ３１０は、ＣＰＵ３００１からの制御により、例えばソニー社のＦｅｌｉＣａ（登録商標）の技術を用いてＩＣカードや健康管理端末４００内に記憶されている情報を読み取る。そして読み取った情報を外部Ｉ／Ｆ３００９を介してＣＰＵ３００１へ通知する。
【００４７】
以上で図３に示すハードウェア構成の説明を終了する。
【００４８】
図４は、健康管理端末４００のハードウェア構成を例示する図である。
【００４９】
図４（ａ）及び図４（ｂ）に示すように、健康管理端末４００は、表示部４０１、操作部４０２、制御部４０３、検出部４０４、記憶部４０５、電源部４０６、通信部４０７等を有する。
【００５０】
制御部４０３は、記憶部４０５に記憶されたプログラムを実行することで健康管理端末４００の各要素を制御するものであり、例えばＣＰＵ等で構成される。記憶部４０５は、制御部４０３が実行するプログラムや制御部４０３が使用する各種のデータを記憶するものであり、例えばフラッシュＲＯＭやＲＡＭ等で構成される。電源部４０６は例えば電池であり、健康管理端末４００の各要素に電源を供給する。
【００５１】
図４（ａ）に例示するように、健康管理端末４００の筐体前面側には、表示部４０１と、操作部４０２が設けられている。表示部４０１は例えば液晶表示パネル等であり、制御部４０３による制御のもとで各種の画像を表示する。操作部４０２は、利用者からの指示を受付ける入力機器であり、図４（ａ）に例示される通り、複数のハードキーを含んでいる。なお、表示部４０１と一体に構成されたタッチパネルを操作部４０２として利用することも可能である。
【００５２】
検出部４０４は、健康管理端末４００の移動（利用者の活動）を検出するためのセンサである。検出部４０４は、例えば、健康管理端末４００に作用する加速度Ａを検出する加速度センサ（例えば３軸型加速度センサ）で構成されている。
【００５３】
図４（ｂ）に例示するように、制御部４０３は、記憶部４０５に記憶されたプログラムを実行することで活動量測定部４０３ａ（計測部）として機能する。活動量測定部４０３ａは、検出部４０４が検出した加速度Ａに応じて利用者の活動量Ｅを測定する。具体的には、活動量測定部４０３ａは、加速度Ａを適用した所定の演算で利用者の消費エネルギー等を活動量Ｅとして算定する。活動量Ｅの測定には公知の技術が任意に採用される。本実施形態では、総消費エネルギー量、歩数、歩行時間などが、活動量Ｅとして算出されるものとする。活動量測定部４０３ａが算定した活動量Ｅのデータは、通信部４０７内の不図示の記憶領域に記憶される。
【００５４】
なお、通信部４０７内に記憶された活動量データを、例えば操作部４０２に対する操作を契機として表示部４０１に表示し、カードリーダ３１０や近距離無線通信機能を介して画像形成装置３００に送信することが可能である。活動量データの一例を後述する図１１に示す。
【００５５】
なお、制御部４０３がプログラムの実行で実現する機能の一部または全部は、論理回路で構成される専用の電子回路でも実現される構成であってもよい。
【００５６】
通信部４０７は、例えばソニー社のモバイルＦｅｌｉｃａ（登録商標）ＩＣチップ等の無線モジュールや、Ｂｌｕｅｔｏｏｔｈの通信を制御する機能部であり、通信制御部４０７ａとアンテナ４０７ｂとを有する。通信制御部４０７ａは、内部に不図示の記憶領域を有し、カードＩＤや活動量データ等を記憶する。活動量データとしては、図８の活動量計データテーブル８２０に示すようなデータが記憶されているものとする。
【００５７】
図８は、健康管理端末４００の通信部４０７内の不図示の記憶領域に記憶される活動量データを例示する図である。
【００５８】
図８に示すように、活動量データは、総消費エネルギー、歩数、歩行時間、などのデータから構成されている。なお、活動量データとは別に、活動量計データテーブルには、当該健康管理端末４００を保持するユーザのユーザ名や、健康管理端末４００のシリアルナンバー、ＵＵＩＤ等も記憶されているものとする。そしてデータを送信したか否かの送信履歴（送信フラグ、履歴情報）等も記憶されているものとする。
【００５９】
通信部４０７は、アンテナ４０７ｂを介したカードリーダ３１０との近距離無線通信（非接触通信）を実行し、通信制御部４０７ａ内の記憶領域（不図示）に記憶されたカードＩＤや活動量データ等を、画像形成装置３００に送信することが可能である。なお、上記説明では、活動量データを通信制御部４０７ａ内の記憶領域に記憶するものとしたが、記憶部４０５に記憶し、通信部４０７を介して画像形成装置３００に送信するように構成してもよい。また、本実施形態では、活動量データ等を送る際にはカードリーダ３１０を用いた近距離無線通信だけでなく、Ｂｌｕｔｏｏｔｈ等の通信規格を用いてデータを送信してもよい。
【００６０】
図５は、本実施形態のシステムの機能構成を示す図である。
【００６１】
認証サーバ１００は、認証処理部１０１と、認証データ管理部１０２と、ＵＵＩＤ記憶部１０３を含む。認証処理部１０１は、画像形成装置３００が備えるカードリーダ３１０から読み取ったカードＩＤと認証データ管理部１０２で記憶する認証テーブルを用いて認証を行う機能部である。認証データ管理部１０２は、図８に示すような認証テーブルを記憶管理する。ＵＵＩＤ記憶部１０３は、健康管理端末４００を一意に識別するための識別子を記憶する。
【００６２】
外部サーバ２００は、活動量データ登録部２２１を含む。活動量データ登録部２２１は、画像形成装置３００から受信した活動量データをデータベース等に登録し管理する。
【００６３】
画像形成装置３００は、情報取得部３３１、通信制御部３３３、端末検知部３３４、データ取得方法判定部３３５、活動量データ送信制御部３３６、画面表示制御部３３７を備える。
【００６４】
情報取得部３３１は、カードリーダ３１０にかざされているIＣカードや健康管理端末４００等の情報記憶端末からカードIＤ等の情報を取得する。通信制御部３３３は、認証サーバ１００や外部サーバ２００との通信や、健康管理端末４００との近距離無線通信を行う際に通信を制御する機能部である。
【００６５】
端末検知部３３４は、ログインしているユーザに対応する健康管理端末が、近傍にあるか否かを検知する機能部である（検知手段）。
【００６６】
データ取得方法判定部３３５は、検知した健康管理端末４００からどの通信方法で情報を取得可能か否か、を判定する機能部である。利用可能な通信方法はカードリーダ３１０を用いたＮＦＣ（Ｎｅａｒ  Ｆｉｅｌｄ  Ｃｏｍｍｕｎｉｃａｔｉｏｎ）や前述したＢｌｕｅｔｏｏｔｈ通信等である。
【００６７】
活動量データ送信制御部３３６は、健康管理端末４００から取得される活動量データの外部サーバ２００への送信を整除する。
【００６８】
画面表示制御部３３７は、後述する図９に示すような画面を表示制御する。
【００６９】
尚、健康管理端末４００における、制御部４０３、検出部４０４、通信部４０７は、図４で説明済みのため説明を省略する。
【００７０】
次に、図６を参照して本実施形態の一連の処理の流れを説明する。
【００７１】
ステップＳ６０１では、画像形成装置３００のＣＰＵ３００１は、画面表示制御部３３７の機能により、ＩＣカードをかざして複合機にログインする旨を表示した認証画面を表示する。
【００７２】
ステップＳ６０２では、画像形成装置３００のＣＰＵ３００１は、ユーザによってＩＣカードがカードリーダ３１０にかざされ、ＩＣカードを検知したか否かを判定する。ＩＣカードを検知したと判定した場合はステップＳ６０３に処理を進める。そうでない場合はＩＣカードを検知するまでステップＳ６０２の処理を繰り返す。
【００７３】
ステップＳ６０３は、画像形成装置３００のＣＰＵ３００１は、情報取得部３３１の機能により、カードリーダ３１０を介してステップＳ６０２で検知したＩＣカードからカードＩＤを取得する。
【００７４】
ステップＳ６０４では、画像形成装置３００のＣＰＵ３００１は、通信制御部３３３の機能によりステップＳ６０３で取得したカードＩＤを認証サーバ１００に対して送信する。
【００７５】
ステップＳ６０５では、認証サーバ１００のＣＰＵ２０１は、画像形成装置３００から送信されたカードＩＤを受信する。
【００７６】
ステップＳ６０６では、認証サーバ１００のＣＰＵ２０１は、認証処理部１０１の機能によりステップＳ６０５で受信したカードＩＤを認証データ管理部１０２で管理、記憶している認証テーブルと照合して認証処理を行う。より具体的には、受信したカードＩＤを用いて、図８の認証テーブル８００のカードＩＤ８０２を参照し、一致するカードＩＤに対応するユーザ名８０１を特定する（特定手段）。
【００７７】
図８の認証テーブル８００は、認証サーバ１００の認証データ管理部１０２の機能により管理、記憶されている認証テーブルの一例を示す。認証テーブル８００は、ユーザ名８０１と、カードＩＤ８０２とを含む。ユーザ名８０１はユーザごとの名称を示し、カードＩＤ８０２は、ユーザ名８１１に対応するカードＩＤを示す。
【００７８】
ステップＳ６０７では、認証サーバ１００のＣＰＵ２０１は、ステップＳ６０６で認証テーブル８００と照合した認証結果と、認証結果に基づき特定したユーザのユーザ情報とを画像形成装置３００に送信する。
【００７９】
ステップＳ６０８では、画像形成装置３００のＣＰＵ３００１は、認証サーバ１００から認証結果を受信する。
【００８０】
ステップＳ６０９では、画像形成装置３００のＣＰＵ３００１は、ステップＳ６０８で受信した認証結果に基づいて認証が成功したか否かを判定する。認証に成功したと判定した場合はステップＳ６１１に処理を進める。認証に成功したと判定しなかった場合はステップＳ６１０に処理を進める。
【００８１】
ステップＳ６１０では、画像形成装置３００のＣＰＵ３００１は、画面表示制御部３３７の機能により認証失敗画面（不図示）を表示し、本フローチャートの一連の処理を終了する。
【００８２】
ステップＳ６１１では、画像形成装置３００のＣＰＵ３００１は、ステップＳ６０８で受信した認証結果に含まれるユーザ情報を画像形成装置３００の特定領域（例えばＲＡＭ３００６）に格納して保持する。ユーザ情報とは、例えば図８のユーザ情報テーブル８１０を示す。ユーザ情報テーブル８１０については後述する。
【００８３】
ステップＳ６１２では、画像形成装置３００のＣＰＵ３００１は、カードリーダ３１０にかざされて取得したＩＣカードのカード情報を画像形成装置３００の特定領域に格納して保持する。
【００８４】
ステップＳ６１３では、画像形成装置３００のＣＰＵ３００１は、ステップＳ６０９で認証成功と判定したユーザの画像形成装置３００に対するログインを許可してログインさせる。
【００８５】
ステップＳ６１４では、画像形成装置３００のＣＰＵ３００１は、画面表示制御部３３７の機能によりログイン後のメニュー画面９００を表示する。
【００８６】
図９の（ａ）メニュー画面９００は画像形成装置３００にログイン後のメニュー画面の一例を示す。（ａ）メニュー画面９００は活動量計データ送信ボタン９０１を含む。このボタンの押下を受け付けることにより健康管理端末４００のデータを外部サーバ２００に送信する送信指示を受け付ける（送信指示受付手段）。詳細については後述する。
【００８７】
ステップＳ６１５では、画像形成装置３００のＣＰＵ３００１は、ステップＳ６１１で格納したユーザ情報に健康管理端末４００のシリアルナンバーが含まれているか否かを判定する。健康管理端末４００のシリアルナンバーが含まれていると判定した場合は、図７のステップＳ６１６に処理を進める。ユーザ情報に健康管理端末４００のシリアルナンバーが含まれていると判定しなかった場合は、健康管理端末４００の情報とユーザ情報とが対応づいていないため、本実施形態の一連の処理は終了する。
【００８８】
図８のユーザ情報テーブル８１０は、認証サーバ１００で記憶されているユーザ情報である。ユーザ情報テーブル８１０は、ユーザ名８１１と、シリアルナンバー８１２と、ＵＵＩＤ８１３と、カードＩＤ８１４とを備える。ユーザ名８１１は、ユーザごとの名称を示す。シリアルナンバー８１２は、健康管理端末４００の製造番号を示す。ＵＵＩＤ８１３は、健康管理端末４００を一意に識別するための識別子を示す。カードＩＤ８１４は、ユーザごとのＩＣカードの識別番号及び健康管理端末４００がログインする際に用いる識別番号を示す。ステップＳ６１５では、ユーザ情報テーブル８１０のシリアルナンバー８１２を参照し、健康管理端末４００のシリアルナンバーの有無を確認し、ユーザ情報に健康管理端末４００の情報が対応づいているか否かを判定する。
【００８９】
次に、図７を用いて本実施形態の一連の処理の流れを説明する。図７のフローチャートは図６のフローチャートの続きである。
【００９０】
ステップＳ６１６では、画像形成装置３００のＣＰＵ３００１は、データ取得方法判定部３３５の機能によりＮＦＣ以外の近距離無線通信が可能な情報があるか否かを判定する。より具体的には、ステップＳ６１１で特定領域に格納したユーザ情報に、健康管理端末４００と近距離無線通信する際に使用する識別情報が存在するか否かを判定する。ここで利用するＮＦＣ以外の近距離無線通信には、例えばＢｌｕｅｔｏｏｔｈ通信がある。この場合、識別しとしては健康管理端末４００を特定可能なＵＵＩＤを特定する。ユーザ情報テーブル８１０にＵＵＩＤの情報があると判定した場合はステップＳ６２１に処理を進める。ユーザ情報テーブル８１０にＵＵＩＤの情報があると判定しなかった場合にはステップＳ６１７に処理を進める。
【００９１】
ステップＳ６１７では、画像形成装置３００のＣＰＵ３００１は、データ取得方法判定部３３５の機能によりステップＳ６１６でＮＦＣ以外の近距離無線通信情報がないと判定された場合に、ＮＦＣ通信で健康管理端末４００を検出したか否かを判定する。ＮＦＣで健康管理端末４００を検出したと判定した場合はステップＳ６１９に処理を進める。そうでない場合はステップＳ６１８に処理を進める。
【００９２】
ステップＳ６１８では、画像形成装置３００のＣＰＵ３００１は、ステップＳ６１７でＮＦＣによる健康管理端末４００の検出ができなかった場合に健康管理端末４００未検出の旨のメッセージを画面表示制御部３３７の機能により表示する。画面を表示した後は本実施形態の一連の処理を終了する。
【００９３】
図９の（ｂ）メニュー画面９００は、ステップＳ６１８で健康管理端末４００未検出の旨を示す画面例である。ＮＦＣでもＢｌｕｅｔｏｏｔｈでも健康管理端末４００（画面上のメッセージで言う活動量計）を検出しなかった場合は画像形成装置３００のステータスを示すステータスライン９０２上にメッセージを表示する。これにより、ユーザがうまく健康管理端末４００をカードリーダ３１０にかざせなかった場合や、近傍に健康管理端末４００が存在していてもうまく検知できていないことをユーザに通知することが可能となる。
【００９４】
ステップＳ６１９では、画像形成装置３００のＣＰＵ３００１は、ステップＳ６１７で健康管理端末４００を検出したと判定した場合は、現在ログインしている画像形成装置３００をログアウトする。これはログインするために受け付けたＩＤがカードＩＤからＵＵＩＤに切り替わるためであり、健康管理端末４００で再度ログイン処理行うためである。
【００９５】
ステップＳ６２０では、画像形成装置３００のＣＰＵ３００１は、健康管理端末４００の情報を用いて画像形成装置３００にログインする。尚、本実施形態ではＩＣカードのログイン中に健康管理端末４００のＮＦＣ通信を検出すると画像形成装置３００をログアウトさせる処理としたが、図８の認証テーブル８００でカードＩＤと健康管理端末４００のＵＵＩＤが対応づいている。そのため同一のユーザであると判定してログアウトさせず継続してログインし続ける処理としてもよい。健康管理端末４００で画像形成装置３００に直接ログインした場合は、次にステップS６２７に処理を進め、健康管理端末４００のデータを画像形成装置３００に蓄積させることなく画像形成装置３００を介して外部サーバ２００に送信可能とする。尚、健康管理端末４００でログインし、外部サーバ２００にデータを送信する場合であっても、後述する図８の活動量計データテーブル８２０の送信履歴８２９を参照し、画像形成装置で取得済みのデータを特定し、取得していない差分のデータを取得する。
【００９６】
ステップＳ６２１では、画像形成装置３００のＣＰＵ３００１は、ステップＳ６１６でＮＦＣ以外の近距離無線通信（本実施形態ではＢｌｕｅｔｏｏｔｈ通信）の情報ありと判定した場合に、該当するＵＵＩＤを持つ健康管理端末４００を検出したか否かを判定する。該当するＵＵＩＤを持つ健康管理端末４００を検出したと判定した場合はステップＳ６２２に処理を進める。そうでない場合はＢｌｕｅｔｏｏｔｈ通信可能な情報があったとしても、その情報を用いて通信可能な健康管理端末４００を検出できず、通信不可能なためステップＳ６１８に処理を進めて未検出のメッセージを表示して一連の処理を終了する。
【００９７】
ステップＳ６２２では、画像形成装置３００のＣＰＵ３００１は、ステップＳ６２１で検出した健康管理端末４００の記憶部４０５に未送信の活動量データがあるか否かを判定する。より具体的には後述する図８の活動量計データテーブル８２０を参照し、送信履歴８２９を参照する。送信履歴８２９で未送信となっているデータを取得する。この処理により、次に活動量データを取得する際も、前回取得した活動量データの差分を見て必要な活動量データのみを取得できる。未送信の活動量データがあると判定した場合はステップＳ６２３に処理を進める。そうでない場合はステップＳ６２６に処理を進める。
【００９８】
ステップＳ６２３では、画像形成装置３００のＣＰＵ３００１は、未送信データから一番古いデータを特定し、取得する。
【００９９】
ステップＳ６２４では、画像形成装置３００のＣＰＵ３００１は、取得したデータを画像形成装置の特定領域（例えば、ＨＤＤ３００７等）に格納して記憶する。記憶する際に取得したデータは、ステップＳ６０８で受信した認証結果から特定したユーザのユーザ情報と対応付けて記憶する。
【０１００】
ステップＳ６２５では、画像形成装置３００のＣＰＵ３００１は、ほかに未送信のデータが健康管理端末４００内にあるか否かを判定する。未送信のデータがあると判定した場合はステップＳ６２３に処理を戻す。そうでない場合はステップＳ６２６に処理を進める。
【０１０１】
ステップＳ６２６では、画像形成装置３００のＣＰＵ３００１は、画像形成装置３００の特定領域（例えば、ＨＤＤ３００７等）に、健康管理端末４００から取得した活動量データがあるか否かを判定する。活動量データがあると判定した場合はステップＳ６２７に処理を進める。そうでない場合は外部サーバ２００に送信するデータが無いため、本実施形態の一連の処理を終了する。尚、ステップＳ６２０で健康管理端末４００を用いて画像形成装置３００にログインしていた場合は、健康管理端末４００の記憶部４０５に活動量データがあるか否かを判定して、同じくデータがある場合にはステップＳ６２７に処理を進める。
【０１０２】
ステップＳ６２７では、画像形成装置３００のＣＰＵ３００１は、データ送信ボタンが押下されたか否かを判定する。より具体的には、図９の（ａ）メニュー画面９００の活動量計データ送信ボタン９０１の押下を受け付けたか否かを判定する。押下を受け付けたと判定した場合はステップＳ６２８に処理を進める。そうでない場合は本実施形態の一連の処理を終了する。
【０１０３】
ステップＳ６２８では、画像形成装置３００のＣＰＵ３００１は、活動量データ送信制御部３３６の機能により、健康管理端末４００から取得した活動量データ、及び画像形成装置３００内に記憶され蓄積された活動量データを外部サーバ２００に送信する。
【０１０４】
図８の活動量計データテーブル８２０は、ステップＳ６２８で送信する活動量データの一例を示す。活動量計データテーブル８２０は、ユーザ名８２１と、シリアルナンバー８２２と、ＵＵＩＤ８２３と、日付８２４と、歩数８２５と、エネルギー量８２６と、総消費エネルギー量８２７と歩行時間８２８と、送信履歴８２９とを備える。ユーザ名８２１はユーザごとの名称を示す。シリアルナンバー８２２は、健康管理端末４００の製造番号を示す。ＵＵＩＤ８２３は、健康管理端末４００を識別するための識別子を示す。日付８２４は歩数８２５から歩行時間８２８のデータを記録した日付けを示す。歩数８２５、エネルギー量８２６、総消費エネルギー量８２７、歩行時間８２８は健康管理端末４００で記憶する活動量データを示し、ここに記載のデータはほんの一例であり、その他のデータが記録されていてもよい。送信履歴８２９は、活動量データを画像形成装置に送信済みか送信済みでないかの履歴を示す。画像形成装置３００は、送信履歴８２９を参照し、取得した活動量データか未取得の活動量データかを判定して差分を取得するとよい。このように、ユーザ情報と活動量データが対応づいていることで、現在ログイン中のユーザのユーザ情報ごとに活動量データを管理し、外部サーバ２００に送信可能となる。
【０１０５】
ステップＳ６２９では、外部サーバ２００のＣＰＵ２０１は、画像形成装置３００から送信された活動量データを受信する。
【０１０６】
ステップＳ６３０では、外部サーバ２００のＣＰＵ２０１は、ステップＳ６２９で受信した活動量データを活動量データ登録部２２１の機能により登録する。
【０１０７】
ステップＳ６３１では、外部サーバ２００のＣＰＵ２０１は、ステップＳ６３０で活動量データを登録した登録結果を画像形成装置３００に送信する。
【０１０８】
ステップＳ６３２では、画像形成装置３００のＣＰＵ３００１は、ステップＳ６２８で送信している活動量データを未だ送信中か否かを判定する。送信中であると判定した場合はステップＳ６３３に処理を進める。そうでない場合、つまり送信が完了したと判定した場合はステップＳ６３３に処理を進める。
【０１０９】
ステップＳ６３３では、画像形成装置３００のＣＰＵ３００１は、画面表示制御部３３７の機能により図１０の（ｂ）データ送信画面１０００の画面を表示させる。
【０１１０】
図１０は、データ送信状態を示す画面の一例である。（ａ）データ送信画面１０００は活動量データを全て外部サーバ２００に送信したことを示し、（ｂ）データ送信画面１０００はデータの送信中であることを示す。
【０１１１】
ステップＳ６３４では、画像形成装置３００のＣＰＵ３００１は、外部サーバ２００から活動量データを登録した旨の登録結果を受信し、データの送信が完了したことを示す図１０の（ａ）データ送信画面１０００を画面表示制御部３３７の機能により表示させる。
【０１１２】
このように、複数の通信可能な近距離無線通信を備える画像形成装置３００であって、ログインしているユーザに対応づいた健康管理端末４００（携帯端末）の情報が存在する場合には、健康管理端末４００に記憶されているデータを取得可能とする。これにより、健康管理端末４００から取得可能なデータをユーザの手間なく取得しておくことでデータ取得時の待ち時間を軽減する効果を奏する。
【０１１３】
以上により、図７の本実施形態の一連の流れを示すフローチャートの説明を終了する。
【０１１４】
以上説明したように、本発明によれば、情報処理装置と通信可能な情報記憶端末に蓄積されたデータを、ユーザが情報処理装置を利用する際に容易に取得可能な仕組みを提供する。
【０１１５】
なお、上述した各種データの構成及びその内容はこれに限定されるものではなく、用途や目的に応じて、様々な構成や内容で構成されることは言うまでもない。
【０１１６】
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１１７】
また、上記各実施形態を組み合わせた構成も全て本発明に含まれるものである。
【０１１８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１１９】
また、本発明は、複数の機器から構成されるシステムに適用しても、１つの機器からなる装置に適用してもよい。
【０１２０】
本発明は上記実施形態に限定されるものではなく、本発明の趣旨に基づき種々の変形（各実施形態の有機的な組合せを含む）が可能であり、それらを本発明の範囲から除外するものではない。即ち、上述した各実施形態及びその変形例を組み合わせた構成も全て本発明に含まれるものである。
【０１２１】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。なお、本発明は、前述した実施形態の機能を実現するソフトウェアのプログラムを、システム或いは装置に直接、或いは遠隔から供給するものを含む。そして、そのシステム或いは装置の情報処理装置が前記供給されたプログラムコードを読み出して実行することによっても達成される場合も本発明に含まれる。
【０１２２】
したがって、本発明の機能処理を情報処理装置で実現するために、前記情報処理装置にインストールされるプログラムコード自体も本発明を実現するものである。つまり、本発明は、本発明の機能処理を実現するためのコンピュータプログラム自体も含まれる。
【０１２３】
その場合、プログラムの機能を有していれば、オブジェクトコード、インタプリタにより実行されるプログラム、ＯＳに供給するスクリプトデータ等の形態であってもよい。
【０１２４】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１２５】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１２６】
また、本発明のプログラムを構成するプログラムコードを複数のファイルに分割し、それぞれのファイルを異なるホームページからダウンロードすることによっても実現可能である。つまり、本発明の機能処理を情報処理装置で実現するためのプログラムファイルを複数のユーザに対してダウンロードさせるＷＷＷサーバも、本発明に含まれるものである。
【０１２７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行して情報処理装置にインストールさせて実現することも可能である。
【０１２８】
また、情報処理装置が、読み出したプログラムを実行することによって、前述した実施形態の機能が実現される。その他、そのプログラムの指示に基づき、情報処理装置上で稼動しているＯＳなどが、実際の処理の一部又は全部を行い、その処理によっても前述した実施形態の機能が実現され得る。
【０１２９】
さらに、記録媒体から読み出されたプログラムが、情報処理装置に挿入された機能拡張ボードや情報処理装置に接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１３０】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１３１】
１００    認証サーバ
２００    外部サーバ
３００    画像形成装置
３１０    カードリーダ
４００    健康管理端末
【図１】
2018106629.tif 000003
【図２】
2018106629.tif 000004
【図３】
2018106629.tif 000005
【図４】
2018106629.tif 000006
【図５】
2018106629.tif 000007
【図６】
2018106629.tif 000008
【図７】
2018106629.tif 000009
【図８】
2018106629.tif 000010
【図９】
2018106629.tif 000011
【図１０】
2018106629.tif 000012